(57)【特許請求の範囲】
【請求項１】
信号端子とグランド端子とが並列に配置されたコネクタと、
中心導体と、前記中心導体の外周に設けられた内部絶縁体と、前記内部絶縁体の外周に設けられた外部導体とを有する複数の同軸ケーブルと、
導体を有するグランド用電線と、
導電性材料で形成されるグランドバーと、
を備え、
複数の前記同軸ケーブルの端部は、互いに並列して配置されるとともに、前記外部導体、前記内部絶縁体、前記中心導体が順に露出され、
互いに隣合う前記同軸ケーブルの端部の間に隙間が形成され、前記隙間は前記同軸ケーブルの幅以上であり、
複数の前記同軸ケーブルの各前記外部導体は、前記グランドバーに電気的に接続され、
前記中心導体は前記信号端子と電気的に接続され、
前記グランド用電線は、前記隙間に配置されるとともに、前記グランドバーと前記グランド端子とを電気的に接続し、
前記グランド用電線は、前記同軸ケーブルの前記外部導体から前記中心導体が露出されている端部側部分でのみ前記同軸ケーブルと並列して前記隙間に配置され、
前記グランド用電線の導体は、前記並列した方向と直交する断面視において直線状であり、前記並列した方向および前記直線の方向と直交する方向の両側から前記グランドバーに挟持され、
前記グランド用電線の導体の径は、前記中心導体の径よりも大きく、前記外部導体部分の径以下である、
コネクタ付多芯ケーブル。
【請求項２】
前記外部導体は、複数の金属細線で形成され、前記グランドバーにハンダ付けされている、請求項１に記載のコネクタ付多芯ケーブル。
【請求項３】
信号端子とグランド端子とが並列に配置されたコネクタと、中心導体と前記中心導体の外周に設けられた内部絶縁体と前記内部絶縁体の外周に設けられた外部導体とを有する複数の同軸ケーブルと、導体を有するグランド用電線と、導電性材料で形成されるグランドバーとから構成されるコネクタ付多芯ケーブルの製造方法であって、
前記グランド用電線を配置するための隙間を同軸ケーブル間に形成しつつ、前記同軸ケーブルを複数本並列する工程と、
複数の前記同軸ケーブルの端部を前記外部導体、前記内部絶縁体、前記中心導体が順に露出するように処理する工程と、
前記同軸ケーブルの前記外部導体から前記中心導体が露出されている端部側部分でのみ前記同軸ケーブルと並列して前記隙間に前記グランド用電線を配置しつつ、前記グランド用電線の導体と前記同軸ケーブルの外部導体とを前記グランドバーで一括して電気的に接続可能な位置に配列する工程と、
前記グランドバーに前記同軸ケーブルの外部導体と前記グランド用電線の導体とを電気的に接続する工程と、
前記同軸ケーブルの中心導体と前記コネクタの信号端子とを電気的に接続し、前記グランド用電線の導体と前記コネクタのグランド端子とを電気的に接続する工程と、を有する、コネクタ付多芯ケーブルの製造方法。 
【発明の詳細な説明】
【技術分野】
【０００１】
本発明は、複数本の同軸ケーブルを有するコネクタ付多芯ケーブル及びその製造方法に関する。
【背景技術】
【０００２】
従来、機器間や機器内の各部間を接続するケーブルとして、複数本の同軸ケーブルを集合一体化させたケーブルハーネスがある。例えば、特許文献１には、グランドバーを用いてケーブルハーネスの端部をコネクタ端子に接続固定するケーブルハーネスの接続構造が開示されている。この構造では、コネクタの接地用端子の位置に対応する突出部をグランドバーに形成し、その突出部をコネクタの接地用端子に半田付けしている。
【先行技術文献】
【特許文献】
【０００３】
【特許文献１】日本国特開２００９−１７０１４２号公報
【発明の概要】
【発明が解決しようとする課題】
【０００４】
ケーブルハーネスに接続されるコネクタの接地用端子の配置は、使用される機器の設計ごとに異なる。このため、特許文献１に開示される構造の一例では、接地用端子の配置の異なるコネクタごとに、接地用端子の位置に対応する突出部を有したグランドバーを製造して部品在庫を管理しなければならず、コストが増えてしまう。
【０００５】
本発明は、コストの増加を抑制することが可能なコネクタ付多芯ケーブル及びその製造方法を提供することを目的とする。
【課題を解決するための手段】
【０００６】
本発明に係るコネクタ付多芯ケーブルは、
信号端子とグランド端子とが並列に配置されたコネクタと、
中心導体と、前記中心導体の外周に設けられた内部絶縁体と、前記内部絶縁体の外周に設けられた外部導体とを有する複数の同軸ケーブルと、
導体を有するグランド用電線と、
導電性材料で形成されるグランドバーと、
を備え、
複数の前記同軸ケーブルの端部は、互いに並列して配置されるとともに、前記外部導体、前記内部絶縁体、前記中心導体が順に露出され、
互いに隣合う前記同軸ケーブルの端部の間に隙間が形成され、前記隙間は前記同軸ケーブルの幅以上であり、
複数の前記同軸ケーブルの各前記外部導体は、前記グランドバーに電気的に接続され、
前記中心導体は前記信号端子と電気的に接続され、
前記グランド用電線は、前記隙間に配置されるとともに、前記グランドバーと前記グランド端子とを電気的に接続する。
【０００７】
また、本発明に係るコネクタ付多芯ケーブルの製造方法は、
信号端子とグランド端子とが並列に配置されたコネクタと、中心導体と前記中心導体の外周に設けられた内部絶縁体と前記内部絶縁体の外周に設けられた外部導体とを有する複数の同軸ケーブルと、導体を有するグランド用電線と、導電性材料で形成されるグランドバーとから構成されるコネクタ付多芯ケーブルの製造方法であって、
前記グランド用電線を配置するための隙間を同軸ケーブル間に形成しつつ、前記同軸ケーブルを複数本並列する工程と、
複数の前記同軸ケーブルの端部を前記外部導体、前記内部絶縁体、前記中心導体が順に露出するように処理する工程と、
前記隙間に前記グランド用電線を配置しつつ、前記グランド用電線の導体と前記同軸ケーブルの外部導体とを前記グランドバーで一括して電気的に接続可能な位置に配列する工程と、
前記グランドバーに前記同軸ケーブルの外部導体と前記グランド用電線の導体とを電気的に接続する工程と、
前記同軸ケーブルの中心導体と前記コネクタの信号端子とを電気的に接続し、前記グランド用電線の導体と前記コネクタのグランド端子とを電気的に接続する工程と、を有する。
【発明の効果】
【０００８】
本発明によれば、製造コストや管理コストの増加を抑制することが可能なコネクタ付多芯ケーブル及びその製造方法を提供することができる。
【図面の簡単な説明】
【０００９】
【図１】本発明の実施形態に係るコネクタ付多芯ケーブルの平面図である。
【図２】図１に示すコネクタ付多芯ケーブルの一端側の概略平面図である。
【図３】図２におけるＡ−Ａ矢視断面図であり、２つのグランドバーで挟まれた同軸ケーブルとグランド用電線の断面を示している。
【図４】（ａ）は同軸ケーブルの断面図であり、（ｂ）はグランド用電線の断面図である。
【図５】コネクタハウジングの信号端子とグランド端子を示す平面図である。
【図６】ラミネートテープで保持された同軸ケーブルを示す図である。
【図７】口出し加工された同軸ケーブルを示す図である。
【図８】ラミネートテープで保持されたグランド用電線を示す図である。
【図９】口出し加工されたグランド用電線を示す図である。
【図１０】グランドバー上に配置された同軸ケーブルを示す図である。
【図１１】同軸ケーブル間の隙間にグランド用電線が配置された状態を示す図である。
【図１２】端部を揃えた同軸ケーブルとグランド用電線とを示す図である。
【発明を実施するための形態】
【００１０】
〈本発明の実施形態の概要〉
最初に本発明の実施形態の概要を説明する。
本発明に係るコネクタ付多芯ケーブルの一実施形態は、
（１）信号端子とグランド端子とが並列に配置されたコネクタと、
中心導体と、前記中心導体の外周に設けられた内部絶縁体と、前記内部絶縁体の外周に設けられた外部導体とを有する複数の同軸ケーブルと、
導体を有するグランド用電線と、
導電性材料で形成されるグランドバーと、
を備え、
複数の前記同軸ケーブルの端部は、互いに並列して配置されるとともに、前記外部導体、前記内部絶縁体、前記中心導体が順に露出され、
互いに隣合う前記同軸ケーブルの端部の間に隙間が形成され、前記隙間は前記同軸ケーブルの幅以上であり、
複数の前記同軸ケーブルの各前記外部導体は、前記グランドバーに電気的に接続され、
前記中心導体は前記信号端子と電気的に接続され、
前記グランド用電線は、前記隙間に配置されるとともに、前記グランドバーと前記グランド端子とを電気的に接続する。
【００１１】
突出部付きのグランドバーを用いる従来構成では、グランド端子の配置が異なるコネクタごとにそのグランド端子の配置に対応した突出部を有するグランドバーを作成しなければならない。これに対し、（１）の構成によれば、コネクタのグランド端子とグランドバーとを接続するためにグランド用電線を用いている。このため、グランド端子の配置が異なるコネクタに対して複数の同軸ケーブルを接続する場合であっても、グランド用電線の配置を変更するだけで済み、多品種のコネクタに対して共通のグランドバーを使用することができる。これにより、コストの増加を抑制して多くのグランド線の配置パターンに容易に対応することができる。
【００１２】
（２）前記グランド用電線の導体の径は、前記中心導体の径よりも大きく、前記外部導体部分の径以下であることが好ましい。
【００１３】
（２）の構成によれば、同軸ケーブルの外部導体及び隙間に配置されたグランド用電線の導体をグランドバーに対して良好に電気的に接続することができる。
【００１４】
（３）前記外部導体は、複数の金属細線で形成され、前記グランドバーにハンダ付けされていても良い。
【００１５】
（３）の構成によれば、金属細線で形成された外部導体がハンダでグランドバーと強固に接着される。
【００１６】
また、本発明に係るコネクタ付多芯ケーブルの製造方法の一実施形態は、
（４）信号端子とグランド端子とが並列に配置されたコネクタと、中心導体と前記中心導体の外周に設けられた内部絶縁体と前記内部絶縁体の外周に設けられた外部導体とを有する複数の同軸ケーブルと、導体を有するグランド用電線と、導電性材料で形成されるグランドバーとから構成されるコネクタ付多芯ケーブルの製造方法であって、
前記グランド用電線を配置するための隙間を同軸ケーブル間に形成しつつ、前記同軸ケーブルを複数本並列する工程と、
複数の前記同軸ケーブルの端部を前記外部導体、前記内部絶縁体、前記中心導体が順に露出するように処理する工程と、
前記隙間に前記グランド用電線を配置しつつ、前記グランド用電線の導体と前記同軸ケーブルの外部導体とを前記グランドバーで一括して電気的に接続可能な位置に配列する工程と、
前記グランドバーに前記同軸ケーブルの外部導体と前記グランド用電線の導体とを電気的に接続する工程と、
前記同軸ケーブルの中心導体と前記コネクタの信号端子とを電気的に接続し、前記グランド用電線の導体と前記コネクタのグランド端子とを電気的に接続する工程と、を有する。
【００１７】
（４）の方法によれば、（１）のコネクタ付多芯ケーブルを製造することができる。
【００１８】
（５）前記グランド用電線は、前記同軸ケーブルの外部導体から中心導体が露出されている端部側部分でのみ前記同軸ケーブルと並列して前記隙間に配置されても良い。
【００１９】
（５）の構成によれば、グランド用電線をグランドバーとグランド端子の間のみに配置することができる。グランド線を最小限の量とすることができる。
【００２０】
〈本発明の実施形態の詳細〉
以下、本発明に係るコネクタ付多芯ケーブル及びその製造方法の実施の形態の例を、図面を参照して説明する。
【００２１】
図１及び図２に示すように、コネクタ付多芯ケーブル１は、同軸ケーブル１０と、グランド用電線２０と、グランドバー３０と、コネクタ４０とを備える。なお、この例では多芯ケーブルの両端側にコネクタ４０が取り付けられる場合を示すが、一方側の端部にコネクタが接続され、反対側の端部にコネクタ以外の例えばＦＰＣ（Flexible Printed Circuits）等が接続される場合もある。
【００２２】
同軸ケーブル１０は、コネクタ付多芯ケーブル１の幅方向に複数本（例えば１０〜６０本）並列に配置されている。複数本の同軸ケーブル１０は、隣り合う同軸ケーブル１０の間に隙間（本例では隙間Ｓ１，Ｓ２，Ｓ３）が形成されるように配置されている。なお、この例では複数本の同軸ケーブル１０が長手方向へ並列状態を維持したまま延びている形態のものを示すが、これに限定されず例えば端部のみを並列に配置し、長手方向の中間部を結束部材でまとめた形態のものであっても良い。
【００２３】
同軸ケーブル１０は、中心導体１１と、内部絶縁体１２と、外部導体１３と、外被１４とを備える。内部絶縁体１２は中心導体１１の外周に設けられ、外部導体１３は内部絶縁体１２の外周に設けられ、外被１４は外部導体１３の外周に設けられている（図４（ａ）参照）。
【００２４】
同軸ケーブル１０は、例えばＡＷＧ（American Wire Gage）の規格によるＡＷＧ４０〜４４のケーブルが用いられる。中心導体の断面積でいうと０．００１６ｍｍ２以上０．００６０ｍｍ２以下である。ＡＷＧ４２の同軸ケーブル１０の場合、中心導体１１は、例えば銀メッキ銅合金などの金属線で、外径Ｒ２が０．０７５ｍｍに形成される。また、内部絶縁体１２は、例えばフッ素樹脂で構成され、外径が０．１７ｍｍに形成される。外部導体１３は、例えば０．０３ｍｍの錫メッキ銅合金、錫メッキ軟銅線等の金属細線で構成され、内部絶縁体１２の外周に横巻きで螺旋状に巻き付けられて、外径Ｒ３が０．２３ｍｍに形成される。外被１４は、例えばフッ素樹脂やポリエステルで構成され、外径が０．３１ｍｍに形成される。
【００２５】
同軸ケーブル１０の端部は、口出し加工により、先端側から順に、中心導体１１、内部絶縁体１２及び外部導体１３がそれぞれ段階的に所定長さ露出されている。
【００２６】
グランド用電線２０は、同軸ケーブル１０の間に形成された隙間（隙間Ｓ１，Ｓ２，Ｓ３）に、口出し加工により露出された同軸ケーブル１０の露出部分（中心導体１１，内部絶縁体１２，外部導体１３）と並列するように配置されている。
【００２７】
グランド用電線２０の端部は、口出し加工により、導体２１が所定の長さ露出されている。本例では、同軸ケーブル１０の間に形成された隙間Ｓ１，Ｓ２，Ｓ３に、グランド用電線２０の露出された導体２１のみが配置されている形態を示している。
【００２８】
なお、口出し加工する前のグランド用電線２０は、導体２１と導体２１の外周に設けられた外被２２とを備えている（図４（ｂ）参照）。本例の導体２１の外径Ｒ１は、同軸ケーブル１０の中心導体１１の外径Ｒ２より大きく、同軸ケーブル１０の外部導体１３の外径Ｒ３より小さく形成されている。
【００２９】
グランド用電線２０は、例えばＡＷＧ３６〜ＡＷＧ３８に該当する絶縁電線が用いられる。中心導体断面積でいうと０．００７ｍｍ２以上０．０１５ｍｍ２以下である。ＡＷＧ３８のグランド用電線２０の場合、導体２１は、例えば銀メッキ銅合金などの金属線で、外径Ｒ１が０．１１ｍｍに形成される。外被２２は、例えばフッ素樹脂で構成され、外径が０．２１ｍｍに形成される。なお、例えばグランド用電線２０として絶縁体を有さない導体のみ、あるいは同軸ケーブルを用いても良い。これらの場合も、導体２１の太さ（断面積）は上記の範囲とすることが好ましい。
【００３０】
グランドバー３０は、並列された同軸ケーブル１０の外部導体１３及び導体２１の上に配置されている。図３に示すように、本例のグランドバー３０は、グランドバー３０Ａとグランドバー３０Ｂとで構成されている（総称する場合はグランドバー３０と称する。グランドバー３０は、並列された同軸ケーブル１０及び導体２１の並列方向にわたって全ての外部導体１３および導体２１と接触可能な長さに形成されている。グランドバー３０は、例えば銅板などの導電性を有する金属板を打ち抜いて細長い板状（長尺状）に形成されている。グランドバー３０Ａと３０Ｂは、位置を合わせた同軸ケーブル１０の外部導体１３と導体２１の一方側の端部２１Ａとを上下側から挟持するように配置されている。グランドバー３０Ａと３０Ｂは、接合部材によって外部導体１３及び導体２１の端部２１Ａに電気的に接続されている。接合部材としては、半田、導電性接着剤、異方性導電フィルム（ＡＣＦ：Anisotropic Conductive Film）等が用いられる。
【００３１】
コネクタ４０は、コネクタハウジング４１と、シェル（図示せず）とを備える。
コネクタハウジング４１には、予め設定された順序およびピッチで信号端子４３とグランド端子４４が並列に配置されている。信号端子４３には、同軸ケーブル１０の中心導体１１が半田付けによって電気的に接続されている。グランド端子４４には、導体２１の端部２１Ａとは反対側の端部２１Ｂが半田付けによって電気的に接続されている。信号端子、グランド端子とも銅箔等の金属箔が用いられる。
【００３２】
シェルは、コネクタハウジング４１の上に載置された同軸ケーブル１０及び導体２１を覆うようにコネクタハウジング４１に取り付けられている。シェルは、導電性を有する金属板で形成されており、半田やＡＦＣ等を介してグランドバー３０に電気的に接続されている。また、シェルの例えば両端部は、コネクタハウジング４１に設けられている接地用接続部に半田付けによって電気的に接続されている。
【００３３】
コネクタハウジング４１に対して、同軸ケーブル１０は、信号端子４３に対応する位置に配列されている。このため、隙間Ｓ１，Ｓ２，Ｓ３は、コネクタハウジング４１のグランド端子４４に対応する位置に形成される。また、隙間の大きさ（幅）は、グランド端子４４の端子数に比例した幅となる。本例では隙間Ｓ１と隙間Ｓ２は、１つのグランド端子４４に対応した隙間であるため１本の導体２１を配置することが可能な幅を有しており、隙間Ｓ３は、連続する３つのグランド端子４４に対応した隙間であるため３本の導体２１を配置することが可能な幅を有している。本例では隙間Ｓ１と隙間Ｓ２のそれぞれは、１本の同軸ケーブル１０の幅以上、例えば１本の同軸ケーブル１０の幅より僅かに大きい程度の幅を有するように形成されており、隙間Ｓ３は、３本の同軸ケーブル１０の幅の合計以上、例えば３本の同軸ケーブル１０の幅より僅かに大きい幅を有するように形成されている。
【００３４】
ところで、従来、突出部付きのグランドバーを作成し、その突出部をコネクタのグランド端子に接続する構成の多芯ケーブルがある。この構成では、グランド端子の配置が異なるコネクタごとにそのグランド端子の配置に対応した突出部を有するグランドバーを作成しなければならない。
【００３５】
これに対し、本実施形態のコネクタ付多芯ケーブル１によれば、コネクタハウジング４１のグランド端子４４とグランドバー３０とを接続するためにグランド用電線２０を用いている。このため、信号端子４３やグランド端子４４の本数や配置が異なるコネクタ４０に対して複数の同軸ケーブル１０を接続する場合であっても、グランド端子４４の位置に合わせてグランド用電線２０の接続位置を移動するだけで対応することができ、多品種のコネクタに対して共通のグランドバー３０を使用することができる。これにより、製造コストや管理コストの増加を抑制することができる。
【００３６】
また、グランド用電線２０の導体２１の径（図４（ｂ）のＲ１）は、同軸ケーブル１０の中心導体１１の径よりも大きく、外部導体１３部分の径Ｒ３以下に形成されている。このため、互いに並列に配置された外部導体１３とグランド用電線２０の導体２１とを共通のグランドバー３０に対して良好に電気的に接続することができる。また、コネクタハウジング４１のグランド端子４４とグランド用電線２０の導体２１との接続と、コネクタハウジング４１の信号端子４３と中心導体１１との接続を同時に行う場合も、それぞれの電気的接続を容易に行うことができる。
【００３７】
導体２１の径が外部導体１３部分の径より小さい場合も、導体２１の周囲をハンダで取り囲んでグランドバー３０に対して更に良好に電気的に接続することができる。
【００３８】
また、グランド用電線２０の導体２１の径は、中心導体１１の径よりも大きいので、信号端子４３へのノイズの混入を十分に軽減することができる。
【００３９】
また、コネクタ付多芯ケーブル１は、例えば機器のレセクタプルに接続されると、シェルが機器のグランド回路に接続される。これにより、シェルに接続されたグランドバー３０もグランド回路に接続される。また、グランドバー３０は、導体２１と接続されるので、コネクタハウジング４１のグランド端子４４に接続されている導体２１を介して機器のグランド回路に接続される。このように、グランドバー３０には、長手方向の両端部だけでなく、コネクタ４０のグランド端子４４が設けられている位置、例えばグランドバー３０の中間部分においても導体２１を用いて接地部分を形成することができる。しかも、グランド端子４４の位置に合わせてグランド用電線２０を半田付けすることで接地部分を容易に形成することができる。このため、芯数の異なる多種のコネクタに対応する場合でも製造コストの増加を抑制することができる。また、コネクタ付多芯ケーブル１の芯数が増加してグランドバー３０の長手方向の長さが大きくなっても安定した接地状態を確保することができる。
【００４０】
次に、コネクタ付多芯ケーブル１の製造方法について図５から図１２を参照して工程毎に説明する。
【００４１】
＜準備工程＞
所定の端子数を有するコネクタ４０を準備する。コネクタ４０の各端子は、信号端子４３として用いられるか、又はグランド端子４４として用いられるかが予め設計仕様により設定されている。信号端子４３とグランド端子４４は、図５に示すように、コネクタハウジング４１の幅方向に並列に配置されている。また、コネクタ４０に接続される同軸ケーブル１０を信号端子４３の数と同じ本数分準備する。また、グランド用電線２０を、コネクタ４０に設けられるグランド端子４４の数と同じ本数分準備する。さらに、グランドバー３０Ａ，３０Ｂを準備する。
【００４２】
＜同軸ケーブルの配列工程＞
図６に示すように、同軸ケーブル１０を先端の位置を揃えて並列に配置する。加工する端部１０Ａを除いて先端から所定の距離の部分をラミネートテープ２３ａ等で保持する。このとき、コネクタ４０の設計仕様の端子順になるように、コネクタハウジング４１のグランド端子４４に対応する位置には同軸ケーブル１０を配置せず、信号端子４３に対応する位置に同軸ケーブル１０を配置する。このため、並列された複数本の同軸ケーブル１０には、コネクタハウジング４１のグランド端子４４の位置に対応するようにケーブル間に同軸ケーブル１０が存在しない隙間Ｓ１，Ｓ２，Ｓ３が形成される。
【００４３】
＜同軸ケーブルの加工工程＞
図７に示すように、ラミネートテープ２３ａ等で保持された各同軸ケーブル１０の端部１０Ａを、先端側から順に中心導体１１、内部絶縁体１２、及び外部導体１３が段階的に露出するように口出し加工する。口出し加工は、ＹＡＧレーザあるいは炭酸ガスレーザ等を用いる。
【００４４】
＜グランド用電線の配列工程＞
図８に示すように、コネクタ４０における一部分のグランド端子４４の配列位置に対応するようにグランド用電線２０を配置し、加工する端部２０Ａを除いて先端から所定の距離の部分をラミネートテープ２３ｂ，２３ｃ等で保持する。
【００４５】
＜グランド用電線の加工工程＞
図９に示すように、各グランド用電線２０の端部２０Ａを、導体２１が露出するように口出し加工する。口出し加工は、ＹＡＧレーザあるいは炭酸ガスレーザ等を用いる。
【００４６】
＜同軸ケーブルの配置工程＞
図１０に示すように、口出し加工された同軸ケーブル１０をグランドバー３０Ｂ上に並列に配置する。このとき、露出された外部導体１３がグランドバー３０Ｂと接触されるように位置を合わせて配置する。なお、グランドバー３０Ｂ上には予めペースト状の半田を塗布しておく。
【００４７】
＜グランド用電線の配置工程＞
図１１に示すように、同軸ケーブル１０が並列されているグランドバー３０Ｂ上に、ラミネートテープ２３ｂ，２３ｃ等で保持されたグランド用電線２０を配置する。このとき、グランド用電線２０の露出された導体２１が同軸ケーブル１０間の隙間Ｓ１，Ｓ２，Ｓ３に配置されて、導体２１と同軸ケーブル１０の露出された端部１０Ａとが並列するように配置する。露出された導体２１は、同軸ケーブル１０の中心導体が露出されている端部側から隙間Ｓ１，Ｓ２，Ｓ３に挿入するように配置する。また、露出された導体２１の端部２１Ａがグランドバー３０Ｂと接触されるように位置を合わせて配置する。ラミネートテープ２３ｂ、２３ｃは同軸ケーブル１０の先端より先（図１１の上側）に配置する。
【００４８】
＜グランドバーへの接続工程＞
グランドバー３０Ｂ上に並列された同軸ケーブル１０の外部導体１３及びグランド用電線２０の導体２１（端部２１Ａ）の上側からグランドバー３０Ｂと対向するようにグランドバー３０Ａを被せて、グランドバー３０Ａと３０Ｂとで外部導体１３と導体２１の端部２１Ａとを挟持する。グランドバーＢと対向させるグランドバー３０Ａの面にも予めペースト状の半田を塗布しておく。パルスヒートでグランドバー３０Ａを加熱して、外部導体１３及び導体２１の端部２１Ａを同時にグランドバー３０Ａと３０Ｂに半田付けする。
【００４９】
＜長さ加工工程＞
外部導体１３及び導体２１の端部２１Ａがグランドバー３０Ａと３０Ｂに半田付けされた状態において、図１２に示すように、同軸ケーブル１０の露出された中心導体１１とグランド用電線２０の露出された導体２１とをそれらの端部が揃うように切断する。中心導体１１と導体２１は、コネクタハウジング４１の信号端子４３とグランド端子４４とにそれぞれ接続可能な長さが残るように切断する。このとき、切断された後のグランド用電線２０は、外被２２部分を有さない導体２１のみの状態となる。
【００５０】
＜同軸ケーブル及び導体の配置工程＞
図１２のように加工された同軸ケーブル１０及びグランド用電線２０をコネクタハウジング４１上に配置する。このとき、中心導体１１がコネクタハウジング４１の信号端子４３に接触され、導体２１がコネクタハウジング４１のグランド端子４４に接触されるように位置を合わせる（図２参照）。
【００５１】
＜コネクタ端子への接続工程＞
各中心導体１１と各信号端子４３とをパルスヒートで一括して同時に半田付けする。また、各導体２１と各グランド端子４４とをパルスヒートで一括して同時に半田付けする。
【００５２】
＜シェルの取付け工程＞
グランドバー３０を覆うようにシェルをコネクタハウジング４１に取り付ける。半田付けによりシェルをグランドバー３０と電気的に接続する。また、シェルの例えば両端部を半田付けによりコネクタハウジング４１の接地用接続部と電気的に接続する。
これにより、コネクタ付多芯ケーブル１の製造が完了する。
【００５３】
本実施形態のコネクタ付多芯ケーブルの製造方法によれば、上記コネクタ付多芯ケーブル１と同様に、製造コストや管理コストの増加を抑制することができる。
また、隙間Ｓ１，Ｓ２，Ｓ３にグランド用電線２０を配置した際、グランド端子４４とグランドバー３０間の接続に使用されないグランド用電線２０の余り部分を同軸ケーブル１０が配置されている領域の外に配置することができる（図１１参照）。このため、同軸ケーブル１０の端部とグランド用電線２０の端部とを揃える際に、端末の余り部分を一括して容易に切断処理することができる。
【００５４】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００５５】
例えば、製造方法の工程の順序は上述の例に限られない。また、グランド用電線に用いる電線は上述の例に限らず、同軸電線等を用いても良い。
【符号の説明】
【００５６】
１：コネクタ付多芯ケーブル、１０：同軸ケーブル、１１：中心導体、１２：内部絶縁体、１３：外部導体、２０：グランド用電線、２１：導体、３０，３０Ａ，３０Ｂ：グランドバー、４０：コネクタ、４１：コネクタハウジング、４３：信号端子、４４：グランド端子、Ｒ１：導体の径、Ｒ２：中心導体の径、Ｒ３：外部導体の径、Ｓ１，Ｓ２，Ｓ３：隙間
【図１】
0006638735.tif 000002
【図２】
0006638735.tif 000003
【図３】
0006638735.tif 000004
【図４（ａ）】
0006638735.tif 000005
【図４（ｂ）】
0006638735.tif 000006
【図５】
0006638735.tif 000007
【図６】
0006638735.tif 000008
【図７】
0006638735.tif 000009
【図８】
0006638735.tif 000010
【図９】
0006638735.tif 000011
【図１０】
0006638735.tif 000012
【図１１】
0006638735.tif 000013
【図１２】
0006638735.tif 000014